【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】
光源部と、
該光源部からの光束を偏向する光偏向器と、
該光偏向器によって偏向された前記光束を被走査面に結像する結像手段と、
前記光源部、前記光偏向器及び前記結像手段を搭載する光学フレームと、
を備え、
前記光偏向器が駆動のためのモータ基板を有しており、前記光偏向器が前記光学フレームに設けられた複数の支柱に前記モータ基板を介して固定される光偏向走査装置において、
前記複数の支柱のうち少なくとも２つ以上の支柱の位置した前記光学フレームの裏面に、同一形状の座面を形成したことを特徴とする光偏向走査装置。
【請求項２】
前記モータ基板は、裏面にプレート状部材を一体的に設けていることを特徴とする請求項１に記載の光偏向走査装置。
【請求項３】
前記光偏向器の回転中心である回転軸の表面側延長方向から見た前記光偏向器を含む回転体の一部が鏡面であることを特徴とする請求項１又は２に記載の光偏向走査装置。
【請求項４】
前記座面を治工具台にて受け、前記モータ基板と前記支柱とを基板平面の垂直方向から挟み込み、前記基板平面の垂直方向の両方から付勢力を掛けた状態で前記モータ基板と前記支柱との締結を行うことを特徴とする請求項１、２又は３に記載の光偏向走査装置。
【請求項５】
光源部と、
該光源部からの光束を偏向する光偏向器と、
該光偏向器によって偏向された前記光束を被走査面に結像する結像手段と、
前記光源部、前記光偏向器及び前記結像手段を搭載する光学フレームと、
を備え、
前記光偏向器が駆動のためのモータ基板を有しており、前記光偏向器が前記光学フレームに設けられた複数の支柱に前記モータ基板を介して固定される光偏向走査装置において、
前記光偏向器が前記光偏向器の回転中心と同心上にあって前記光偏向器のスラスト方向
の荷重を支承して前記モータ基板の裏面側に突出し、前記光偏向器の光学中心を兼ねる軸受保持部を具備し、
前記光学フレームは前記軸受保持部と同心で前記軸受保持部が挿入される穴を有し、
前記軸受保持部と前記穴との間に、全周にわたり径方向に０．２ｍｍ以上の隙間を有することを特徴とする光偏向走査装置。
【請求項６】
前記モータ基板は、裏面にプレート状部材を一体的に設けていることを特徴とする請求項５に記載の光偏向走査装置。
【請求項７】
前記光偏向器の回転中心である回転軸の表面側延長方向から見た前記光偏向器を含む回転体の一部が鏡面であることを特徴とする請求項５又は６に記載の光偏向走査装置。
【請求項８】
光源部と、
該光源部からの光束を偏向する光偏向器と、
該光偏向器によって偏向された前記光束を被走査面に結像する結像手段と、
前記光源部、前記光偏向器及び前記結像手段を搭載する光学フレームと、
を備え、
前記光偏向器が駆動のためのモータ基板を有しており、前記光偏向器が前記光学フレームに設けられた複数の支柱に前記モータ基板を介して固定される光偏向走査装置において、
前記光偏向器が前記光偏向器の回転中心と同心上にあって前記光偏向器のスラスト方向の荷重を支承して前記モータ基板の裏面側に突出し、前記光偏向器の光学中心を兼ねる軸受保持部を具備し、
前記光学フレームは前記軸受保持部と同心で前記軸受保持部が挿入される穴を有し、
前記モータ基板と前記光学フレームとの締結を行う際に、前記軸受保持部と前記穴との隙間に少なくとも前記軸受保持部の挿入部以上が中空であるカラーを配置し、前記カラーにて前記軸受保持部と前記穴との同軸を位置決めすることを特徴とする光偏向走査装置。
【請求項９】
前記モータ基板は、裏面にプレート状部材を一体的に設けていることを特徴とする請求項８に記載の光偏向走査装置。
【請求項１０】
前記光偏向器の回転中心である回転軸の表面側延長方向から見た前記光偏向器を含む回転体の一部が鏡面であることを特徴とする請求項８又は９に記載の光偏向走査装置。
【手続補正２】
【補正対象書類名】明細書
【補正対象項目名】００１５
【補正方法】変更
【補正の内容】
【００１５】
図１９（ｃ）では、回転多面鏡３及びロータユニット４の軸の倒れが発生する様子を示している。ここで、図１９（ｂ）での最初のビス１３が締結される最後にモータ基板１２がビス１３の連れ回りによりビス１３の方向に引き寄せられ、軸受保持部１７と光学フレーム嵌合部とが干渉する。このことにより、軸受保持部１７にラジアル方向のテンションＦ’が発生し、これに伴って回転多面鏡３及びロータユニット４の軸の倒れが発生する。
【手続補正３】
【補正対象書類名】明細書
【補正対象項目名】００１８
【補正方法】変更
【補正の内容】
【００１８】
図２０において、治工具台１４の受柱１４ａが光学フレーム１０に設けられた複数の支柱２０と同軸上に無い場合、ビス１３を締結時のスラスト方向の荷重は、光学フレーム１０及びモータ基板１２をたわませる方向に直接掛かり、スラスト方向に弓状の変形を招く。そして、軸倒れ量Δθ’を保ったままでモータ基板１２が光学フレーム１０に固定される。
【手続補正４】
【補正対象書類名】明細書
【補正対象項目名】００１９
【補正方法】変更
【補正の内容】
【００１９】
この軸の倒れは、通常、「スポットのフレアに因る画像品質の劣化」或いは「走査線の曲がり」につながる。そして、特にこのような走査線の曲がりは、各色情報ごとに別個の光走査による書き込みを行うカラープリンターで印字を行った場合、書き込まれる各色情報間に「色ずれ」が顕著に現れてしまう。 
【手続補正５】
【補正対象書類名】明細書
【補正対象項目名】００３４
【補正方法】変更
【補正の内容】
【００３４】
これに伴って、締結時に発生するビス１３の連れ周りによる光偏向器８の回転軸１９の軸倒れを防止することが可能となり、走査線の曲がりを有効に低減できる。またビス１３締結時に発生するスラスト全荷重を受柱１４ａが受け、スラスト荷重を光学フレーム１０及びモータ基板１２が直接受けないような構成として、光偏向器８の軸倒れによるスポットフレアの発生を有効に防止できる。従って、画像品質の向上を得ることができる。そしてこの際、新たな工程や部品を付加するものではなく、コストアップを伴うこともない。
【手続補正６】
【補正対象書類名】明細書
【補正対象項目名】００４３
【補正方法】変更
【補正の内容】
【００４３】
この構成では、軸受保持部１７と光学フレーム１０の穴との間に隙間を形成している。このことにより、ビス１３締結時に光学フレーム１０と軸受保持部１７とが当接することにより発生する軸受保持部１７へのラジアル方向のテンションが掛かることなくビス１３の締結が可能となる。したがって、締結時に発生する軸倒れを防止することができ、走査線の曲がりを軽減でき、画像品質を向上することができる。 
【手続補正７】
【補正対象書類名】明細書
【補正対象項目名】００４８
【補正方法】変更
【補正の内容】
【００４８】
本実施形態では、回転多面鏡３、ロータユニット４及び回転軸１９等の回転体の上面の一部を鏡面にしている。このことにより、動圧を用いた非接触軸受等、静止時回転中倒れ量が変化する光偏向器８に対し、回転中の軸倒れ量が定量的にオートコリメータ２２等で容易に測定できる。従って、製造現場で倒れ方向の自動判定が行え、不良品の流出を抑えることが可能となり、かつ原因対処が迅速に行え、品質の維持及び安定の効果がある。
【手続補正８】
【補正対象書類名】明細書
【補正対象項目名】００５５
【補正方法】変更
【補正の内容】
【００５５】
図１３はプレート１５を含む治工具を用いたビス１３締結時の説明を行うための断面図である。この治工具では、第１実施形態同様、受柱１４ａがモータ基板１２のビス穴中心と光学フレーム１０と同軸上にある。このことからビス１３の締結時のスラスト方向の荷重は、受柱１４ａに直接掛かり、光学フレーム１０及びモータ基板１２をたわませることが無く変形を防ぐことができる。
【手続補正９】
【補正対象書類名】明細書
【補正対象項目名】００５６
【補正方法】変更
【補正の内容】
【００５６】
これに加えて、本治工具特有の特徴は、モータ基板１２と支柱２０とを上方からプレート１５で付勢力Ｆを掛け、治工具台１４とプレート１５とで挟持した状態で保持してビス１３の締結を行うことである。これにより、ビス１３締結時の連れ回りによるラジアル方向のテンションが軸受保持部１７に掛からず、より一層の軸倒れを防止することが可能となり、走査線の曲がりを低減でき、画像品質を向上できる。
【手続補正１０】
【補正対象書類名】明細書
【補正対象項目名】００５７
【補正方法】変更
【補正の内容】
【００５７】
また、受柱１４ａ又は押圧棒１５ａの少なくとも一方に、コイルバネ又はエアーダンパー等のクッション性を持たせた部材を備えている。このことにより、複数の受柱１４ａ、押圧棒１５ａ先端の平面度のズレ量を吸収でき、耐久性をもった効果的なビス締結工具の製作が可能となる。